(57)【特許請求の範囲】
【請求項１】
内側に断熱材を設けた外箱と、この外箱の断熱材との間に空間を有して内部に配置された内箱と、前記空間内に設けられて前記内箱内を加熱する加熱装置とを備えた培養装置において、前記加熱装置を前記内箱の側壁に接触させて取り付けると共に、前記内箱内には側部ダクトを設け、庫内循環ファンにより前記内箱内の空気を前記側部ダクトに流し、下部の吐出口から吐出させることを特徴とする培養装置。
【発明の詳細な説明】
【０００１】
【産業上の利用分野】
本発明は、細菌やウィルスの培養等の理化学実験に用いられる培養装置に関するものである。
【０００２】
【従来の技術】
従来この種培養装置は、特公平３−１７１２１号公報に恒温庫として示されるように、断熱箱体と、この断熱箱体の内側に空間を介して設けられた内箱内に形成された貯蔵室と、この貯蔵室の開口を開閉自在に閉塞する断熱外扉及び内扉と、前記断熱箱体の内面底部に埋設された加熱ヒ−タ等から構成されていた。そして、前記空間を貯水層とすると共に、前記加熱ヒ−タを発熱させることによって貯水層内の水を加熱し、この貯水層より貯蔵室内を周囲から斑無く加熱していた。
【０００３】
また、内箱と断熱箱体の空間を単なる空気層として、この空気層より貯蔵室内を間接的に加熱するものもあり、係る構造の培養庫１２０を図３を参照しながら説明すると、１００は内側に断熱材１０１を設けた外箱で、１０２はこの外箱１００の内部に所定の間隔を存して設けられた内箱である。そして、この内箱１０２と外箱１００の間に形成された空気層１０３より内箱１０２内を間接的に加熱するよう、断熱材３内面の天部、側部、底部にはそれぞれヒータ１０４が設けられている。
【０００４】
また、内箱１０２の庫内には内部の温度分布を均一にする目的で、天部ダクト１０５、側部ダクト１０６がそれぞれ設けられ、天部ダクト１０５には庫内空気を吸い込む吸込口１０７が形成され、側部ダクト１０６の下部には庫内に空気を吐出する吐出口１０８が形成されている。また、前記天部ダクト１０５の吸込口１０７に臨む位置には、庫内空気の循環用として庫内循環ファン１０９が設けられており、空気層１０３には庫内循環ファン１０９を回転させる駆動装置１１０が設けられている。
【０００５】
【発明が解決しようとする課題】
前記ヒータ１０４が発熱すると、ヒータ１０４により加熱された空気層１０３内の空気が自然対流により空気層１０３内を循環するので、内箱１０２の庫内は周囲から加熱されるため、内部を均一に加熱することが可能となるが、係る従来の培養庫１２０は、断熱材１０１の内側にヒータ１０４を貼着し、空気層１０３を介して内箱１０２を加熱する関係上、外箱１からの熱リークも大きく、また、図示しない扉を開閉した後等に庫内の温度が所定の温度に復帰するまで時間がかかり、その間庫内温度も不均一となる問題があった。
【０００６】
本発明は、係る従来の技術的課題を解決するために成されたものであり、内箱内を均一、且つ、効率的に加熱でき、更にその温度復帰特性を改善した培養装置を提供することを目的とする。
【０００７】
【課題を解決するための手段】
本発明の培養装置（培養庫）１は、内側に断熱材３を設けた外箱２と、この外箱２の断熱材３との間に空間９を有して内部に配置された内箱４と、前記空間９内に設けられて前記内箱４内を加熱する加熱装置（ヒータ）１７とを備えたものであって、加熱装置（ヒータ）１７を内箱４の側壁に接触させて取り付けると共に、内箱２内には側部ダクト１４を設け、庫内循環ファン１１により内箱２内の空気を側部ダクト１４に流し、下部の吐出口１６から吐出させるものである。
【０００８】
【作用】
本発明の培養装置（培養庫）１によれば、内箱４の周囲の断熱材３との間に空間９を形成し、この空間９内に設けた加熱装置（ヒータ）１７により、内箱４周囲の空間９から内箱４内を均一に加熱することができる。特に、内箱４に接触して加熱装置（ヒータ）１７を設けている関係上、内箱４を直接加熱することができ、扉の開閉等により内箱４内の温度が低下した後も迅速に温度復帰させることができるようになる。また、加熱装置（ヒータ）１７を内箱４側に設けていることにより、外箱２等からの熱リークも改善される。また、内箱４内には側部ダクト１４を設け、庫内循環ファン１１により内箱４内の空気を側部ダクト１４に流し、下部の吐出口１６から吐出させるようにしたので、収納空間（即ち、庫内）に強制的に空気対流が形成され、内箱４内の空気の均一化も図ることができる。
【０００９】
【実施例】
以下、図面に基づき本発明の実施例を詳述する。図１は本発明の培養装置の実施例としての培養庫１の斜視図、図２は培養庫１の縦断正面図をそれぞれ示している。図１及び図２において２は外箱で、内側に断熱材３が設けられており、この断熱材３の内側に所定の空間９を介して内部に貯蔵室２６を構成する内箱４が設けられている。この内箱４は耐腐食性のステンレス等の材料から形成され、底壁４Ａと、左右側壁４Ｂ、４Ｂと、背壁４Ｃと、天壁４Ｄとから成り、前面が開口している。
【００１０】
また、前記外箱２も前面が開口しており、断熱外扉６により開閉自在に閉塞され、更に、その内側には貯蔵室２６の前面開口を開閉自在に閉塞する内扉５が設けられている。尚、内扉５は透明ガラスにて形成されており、それによって断熱外扉６を開くだけで、貯蔵室２６の内部を観察することができるように構成されている。更に、貯蔵室２６内には、複数段の棚７・・が設けられると共に、内箱４の底壁４Ａ上には加湿皿８が載置されている（尚、図２では削除されている）。
【００１１】
内箱４の天壁４Ｄには貯蔵室２６内の空気を循環させる庫内循環ファン１１と、このファン１１を回転させるためのモータ１２とが上下に設けられている。前記モータ１２は空間９内で断熱材３によってこの空間９と遮蔽されている。また、内箱４内には天部ダクト１３及び側部ダクト１４とが設けられており、天部ダクト１３内には前記庫内循環ファン１１が配置されている。そして、天部ダクト１３の庫内循環ファン１１が臨む位置には貯蔵室２６内空気を吸引するための吸込口１５が、前記側部ダクト１４の下部には空気を吐出する吐出口１６がそれぞれ形成されている。
【００１２】
更に、内箱４の外側には、加熱装置としてのヒ−タ１７が設けられている。このヒータ１７は、内箱４の底壁４Ａ、左右側壁４Ｂ、４Ｂ及び背壁４Ｃにそれぞれ対応して内箱４の外面に接触状態に設けられており、この場合、各ヒータ１７はアルミテ−プ１８にて内箱４の外面に貼着されているが、耐熱性の接着剤や、保持具等（図示せず）にて取り付けても良い。
【００１３】
空間９内の空気が自然対流することにより、ヒ−タ１７の加熱時、側部に取り付けられたヒ−タ１７にて加熱された暖気が上部の空間９に循環されると共に、暖気は上方へ向かう特性上、実施例では上部の空間９にヒ−タ１７を設けることなく内箱４内、即ち貯蔵室２６内を均一に加熱することができる。また、直接的に内箱４に接触してヒ−タ１７を設けている関係上、断熱外扉６及び内扉５の開閉時に急激な温度低下があっても、短時間で貯蔵室２６内温度が所定の温度に復帰する。
【００１４】
また、内箱４内の空気循環は、モータ１２の回転と共に回転する庫内循環ファン１１にて矢印Ａ方向に循環する。即ち、貯蔵室２６内の空気が天部ダクト１３の吸込口１５から吸い込まれ、天部ダクト１３内を通過して側部ダクト１４に流入して下方に向かい、側部ダクト１４の吐出口１６から貯蔵室２６内に吐出される。これによって、貯蔵室２６内の空気は撹拌されて均一化される。
【００１５】
このように貯蔵室２６内は周囲の空間９から間接的に加熱されると共に、ヒータ１７は内箱４の壁面を直接加熱するため、貯蔵室２６内の温度を均一に保つことができると共に、貯蔵室２６内温度の復帰特性を著しく改善することができる。また、内箱４を直接加熱するので、従来の如く断熱材３側に設けた場合に比して熱リ−ク特性も改善される。
【００１６】
【発明の効果】
以上詳述した如く本発明によれば、内箱の周囲の断熱材との間に空間を形成し、この空間内に設けた加熱装置により、内箱周囲の空間から内箱内を均一に加熱することができる。特に、内箱に接触して加熱装置を設けたので、内箱を直接加熱することができ、扉の開閉等により内箱内の温度が低下した後も迅速に温度復帰させることができるようになる。また、内箱内には側部ダクトを設け、庫内循環ファンにより内箱内の空気を側部ダクトに流し、下部の吐出口から吐出させるようにしたので、収納空間（即ち、庫内）に強制的な空気対流（空気循環）が形成され、内箱内の空気の均一化も図ることができる。更に、加熱装置を内箱側に設けていることにより、外箱等からの熱リークも改善され、省エネルギ−にも寄与するものである。
【図面の簡単な説明】
【図１】本発明の培養装置の実施例としての培養庫の斜視図である。
【図２】培養庫の縦断正面図である。
【図３】従来の培養庫の縦断正面図である。
【符号の説明】
１  培養庫
２  外箱
３  断熱材
４  内箱
９  空間
１７  加熱装置
【図１】
0003561525.tif 000002
【図２】
0003561525.tif 000003
【図３】
0003561525.tif 000004